(57)【要約】【課題】本発明の課題は立体映像を得るための基本フォーマットのデータの処理経路を工夫し良好な画像品質を提供し、各種の立体映像信号処理に対して適合可能な立体映像信号処理装置及び方法を提供する。【解決手段】実施形態によれば、メインビデオデータを配置する第１の領域、グラフィックスデータを配置する第２の領域、前記グラフィックスデータの画素に対する制御情報を配置する第３の領域、及び前記メインビデオデータの画素に対する制御情報を配置する第４の領域を有した基本フォーマットが定義されている。分配モジュールが、前記基本フォーマットのデータにおける、前記第１の領域と第２の領域のデータを含む第１のプレーンと、前記第３の領域と第４の領域のデータを含む第２のプレーンとを分配する。第１の画質調整モジュールが前記第１のプレーンの前記データに対して色補正、黒レベル調整を含む画質調整を行う。結合モジュールが画質調整された第１のプレーンのデータに前記第２のプレーンのデータを合体する。【選択図】図４
2012134634.tif 000002
【特許請求の範囲】
【請求項１】
メインビデオデータを配置する第１の領域、グラフィックスデータを配置する第２の領域、前記グラフィックスデータの画素に対する制御情報を配置する第３の領域、及び前記メインビデオデータの画素に対する制御情報を配置する第４の領域を有した基本フォーマットが定義されており、
前記基本フォーマットのデータにおける、前記第１の領域と第２の領域のデータを含む第１のプレーンと、前記第３の領域と第４の領域のデータを含む第２のプレーンとを分配する分配モジュールと、
前記第１のプレーンの前記データに対して画質調整を行う第１の画質調整モジュールと、
前記画質調整された前記第１のプレーンのデータに前記第２のプレーンのデータを合体する結合モジュールを備えた立体映像信号処理装置。
【請求項２】
前記第３の領域の制御情報は、前記グラフィックスデータの画素の深さ情報であり、前記第４の領域の制御情報は、前記メインビデオデータの画素の深さ情報である請求項１記載の立体映像信号処理装置。
【請求項３】
前記第３の領域の制御情報は、前記グラフィックスデータの画素に対する重ね合わせに用いるアルファ値情報である請求項１記載の立体映像信号処理装置。
【請求項４】
前記結合モジュールから出力されたデータが入力され、ガンマ補正、ディザ補正を含む調整を行う第２の画質調整モジュールをさらに有した請求項２記載の立体映像信号処理装置。
【請求項５】
前記第１の画質調整モジュールは、操作に基づいて制御ブロックからの制御信号で調整パラメータを変更される請求項４記載の立体映像信号処理装置。
【請求項６】
３Ｄ信号処理モジュールとその制御信号を出力する３Ｄ関連制御器による立体映像信号処理方法において、
メインビデオデータを配置する第１の領域、グラフィックスデータを配置する第２の領域、前記メインビデオデータの画素の深さ情報を配置する第３の領域、及び前記グラフィックスデータの画素の深さ情報を配置する第４の領域を有した３Ｄ信号用の基本フォーマットを定義しており、
前記３Ｄ信号処理モジュールでは、前記基本フォーマットのデータにおける、前記第１の領域と第２の領域のデータを含む第１のプレーンと、前記第３の領域と第４の領域のデータを含む第２のプレーンとを分配し、
分配された前記第１のプレーンの前記データに対して画質調整を行い、
前記画質調整された前記第１のプレーンのデータに前記第２のプレーンのデータを合体する立体映像信号処理方法。
【請求項７】
前記第３の領域の制御情報は、前記グラフィックスデータの画素の深さ情報であり、前記第４の領域の制御情報は、前記メインビデオデータの画素の深さ情報である請求項６記載の立体映像信号処理方法。
【請求項８】
前記合体された後の出力データに対して、ガンマ補正、ディザ補正を含む調整を行うようにした請求項７記載の立体映像信号処理方法。
【請求項９】
前記色補正、黒レベル調整を含む画質調整では、操作に基づいて制御ブロックからの制御信号で調整パラメータを変更されるようにした請求項８記載の立体映像信号処理方法。
【発明の詳細な説明】
【技術分野】
【０００１】
本発明の実施形態は立体映像表示装置及び方法に関する。
【背景技術】
【０００２】
特殊な眼鏡を使用することなく立体映像を知覚可能な裸眼式の立体映像表示技術は様々な分類が可能である。一般的な分類は、両眼視差を用いる両眼視差方式と実際に空間像を形成する空間像再生方式である。
【０００３】
両眼視差方式はさらに２眼式と多眼式とに分類される。２眼式は、左眼用の画像と右眼用の画像とを左眼と右眼とでそれぞれ見えるようにした方式である。また、多眼式は映像撮影時の観察位置を複数にすることで情報量を増加し、より立体映像を観察できる範囲を広げた方式である。
【０００４】
空間像再生方式はさらにホログラフィ方式とインテグラル・フォトグラフィ方式（以下、インテグラル方式と称するが、光線再生法とも称される）に分類される。インテグラル方式は両眼視差方式として分類されている場合もある。インテグラル方式は、光線の経路が撮影時と映像再生時とで全く逆の経路を辿るので、光線数を十分多くし且つ画素サイズを十分小さくできた場合には完全に近い立体映像が再生される。このため、理想的なインテグラル方式は空間像再生方式として分類される。
【０００５】
ところで、多眼式やインテグラル方式のように眼鏡無しで立体映像を知覚するには、通常、以下の構成が採用される。２次元画像表示用画素配列上で立体映像表示用画素配列を構成する。立体映像表示用画素配列の前面側に立体映像表示用画素からの光線を制御する機能を有するマスク（光線制御素子とも称される）を配置する。マスクには、立体映像表示用画素よりも遥かに小さな（典型的には２次元画像表示用画素とほぼ同じ大きさの）窓部が立体映像表示用画素に対応した位置に設けられている。
【０００６】
マスクとしては、微小なレンズが２次元的に配列されてなるフライアイレンズ、垂直方向に光学的開口が直線状に延び水平方向に周期的に配列される形状のレンチキュラーシート、またはスリットも用いられる。
【０００７】
このような構成によると、個々の立体映像表示用画素により表示される要素画像はマスクによって部分的に遮られ、観察者は窓部を透過したもののみを視認することとなる。したがって、或る窓部を介して視認される２次元画像表示用画素を観察位置毎に異ならしめることができ、メガネを使用することなく立体映像を知覚することができる。
【先行技術文献】
【特許文献】
【０００８】
【特許文献１】特開平１０−２１５４６６号公報
【特許文献２】特開２０００−２６１８２８５号公報
【特許文献３】特開平５−１５０２１８号公報
【発明の概要】
【発明が解決しようとする課題】
【０００９】
上記したように立体映像を表示するための装置の基本的な構成が具体化している。立体映像を表示するためには、立体映像信号が必要である。立体映像信号を得るための方法としては、各種の技術が開発されている。立体映像信号を得るために、水平方向に間隔を置いて複数の撮像装置を用い、それぞれの撮像装置から、視角が異なる（視差が異なる）映像信号を得る方法がある。また、２次元（２Ｄ）映像信号を加工処理して、立体映像信号を得る方法がある。しかし従来の信号処理装置は、商品としての利便性を得るためには多くの課題を有する。
【００１０】
そこで本発明が解決しようとする課題は、立体映像を得るための基本フォーマットのデータの処理経路を工夫することで良好な画像品質を提供し、各種の立体映像信号処理に対して適合可能な立体映像信号処理装置及び方法を提供するところにある。
【課題を解決するための手段】
【００１１】
実施形態によれば、メインビデオデータを配置する第１の領域、グラフィックスデータを配置する第２の領域、前記グラフィックスデータの画素に対する制御情報を配置する第３の領域、及び前記メインビデオデータの画素に対する制御情報を配置する第４の領域を有した基本フォーマットが定義されている。分配モジュールが、前記基本フォーマットのデータにおける、前記第１の領域と第２の領域のデータを含む第１のプレーンと、前記第３の領域と第４の領域のデータを含む第２のプレーンとを分配する。第１の画質調整モジュールが前記第１のプレーンの前記データに対して画質調整を行う。結合モジュールが前記画質調整された前記第１のプレーンのデータに前記第２のプレーンのデータを合体する。
【図面の簡単な説明】
【００１２】
【図１】実施形態に係る立体映像表示装置の概略を示す図である。
【図２】３Ｄ処理モジュールの構成例を示す図である。
【図３】３Ｄ処理モジュールの信号処理経過の例を示す図である。
【図４】図３の３Ｄ処理モジュールの内部構成例を示す図である。
【図５】立体映像表示装置が一体化したテレビジョン受信装置の全体構成例を示す図である。
【発明を実施するための形態】
【００１３】
以下、実施の形態について図面を参照して説明する。先ず、立体映像表示の原理を説明する。図１は、眼鏡を使用して立体映像を観察できる２眼式の立体映像表示装置の例であり、図２は、裸眼で立体映像を観察できる裸眼式の立体映像表示装置の例である。
【００１４】
図１には、２つの２眼方式を同時に示している。
【００１５】
第１の方式は、左眼用の映像（Ｌ）と右眼用の映像（Ｒ）がフレーム毎に交互にテレビジョン受信装置２１００で表示される例である。左眼用の映像（Ｌ）の信号と右眼用の映像（Ｒ）の信号は、外部から送られて来るものであっても、また、テレビジョン受信装置の内部で２Ｄ表示用映像信号から擬似的に生成されるものであってもよい。
【００１６】
テレビジョン受信装置２１００からは、現在表示されている映像が、右目用映像と左目用映像のどちらであるかを示す識別情報が出力される。左右識別情報の搬送媒体は、有線、電波あるいは赤外線のいずれであってもよい。３Ｄ眼鏡３０００は、受信機３００１を有し、この受信機３００１は識別情報を受信し、左と右の液晶眼鏡のシャッター動作を制御し表示された左右映像に同期させる。これにより視聴者は、右眼用の映像を右眼で左眼用の映像を左眼で観察し、立体映像を知覚することができる。
【００１７】
第２の方式は、左眼用の映像（Ｌ）がフレームの左半分に配置され、右眼用の映像（Ｒ）がフレームの右半分に配置されてテレビジョン受信装置２１００で表示される例である。この左眼用の映像（Ｌ）の信号、右眼用の映像（Ｒ）の信号も、外部から送られて来るものであっても、また、テレビジョン受信装置の内部で２Ｄ表示用映像信号から擬似的に生成されるものであってもよい。この方式はサイドバイサイドと称されることもある。左と右の映像による出射光は、偏光方向が異なり、３Ｄ眼鏡３０００は、偏光眼鏡が使用され、左と右のガラスが偏光性を有し、左のガラスは左の映像を透過し、右のガラスが右の映像を透過する。これにより視聴者は、右眼用の映像を右眼で左眼用の映像を左眼で観察し、立体映像を知覚することができる。さらに各種の立体映像表示方式があるがここでは、省略する。
【００１８】
図２に示す立体映像表示装置１は、裸眼式のものであり、縦横に配列した多数の立体映像表示用画素１１を有する表示ユニット１０と、それらから離間するとともにそれら立体映像表示用画素１１に対応して多数の窓部２２が設けられたマスク２０とを備えている。
【００１９】
マスク２０は光学的開口を有し、上記画素からの光線を制御する機能を有し、視差バリアまたは光線制御素子とも呼ばれる。マスク２０は透明基板上に多数の窓部２２に対応した多数の開口を有する遮光体パターンを形成したものや、遮光板に多数の窓部２２に対応した多数の貫通孔を設けたものなどを使用することができる。あるいは、マスク２０の他の例としては、多数の微小なレンズを２次元的に配列してなるフライアイレンズ、光学的開口が垂直方向に直線状に延び水平方向に周期的に配列される形状のレンチキュラーレンズも使用可能である。さらに、マスク２０として、透過型の液晶表示ユニットのように窓部２２の配置、寸法、形状などを任意に変更可能なものを使用してもよい。
【００２０】
静止画の立体視の場合は、立体映像表示用画素１１は画像が印刷された紙でも良い。しかし、動画像を立体視するためには、液晶表示ユニットを用いて立体映像表示用画素１１を実現する。透過型の液晶表示ユニット１０の多数の画素が多数の立体映像表示用画素１１を構成し、液晶表示ユニット１０の背面側には面光源であるバックライト３０を配置している。液晶表示ユニット１０の前面側には、マスク２０を配置している。
【００２１】
透過型の液晶表示ユニット１０を使用する場合、マスク２０はバックライト３０と液晶表示ユニット１０との間に配置してもよい。液晶表示ユニット１０及びバックライト３０の代わりに有機ＥＬ（エレクトロルミネッセンス）表示装置や陰極線管表示装置やプラズマ表示装置などのように自発光型の表示装置を使用しても良い。その場合、マスク２０は自発光型表示装置の前面側に配置する。
【００２２】
図は、立体映像表示装置１と観察位置Ａ００，Ａ０Ｒ、Ａ０Ｌの関係を概略的に示している。
【００２３】
観察位置は画面（あるいはマスク）との距離を一定に保ったまま表示画面の水平方向に平行移動した位置である。この例では、１つの立体映像表示用画素１１が、複数の（例えば５つの）２次元表示用画素で構成されている例を示している。画素の数は１つの例であり、５より少なくてもよく（例えば２個））さらに数が多くても良い（例えば９個）。
【００２４】
図２において、破線４１は隣接する立体映像表示用画素１１間の境界に位置する単一画素の中心と、マスク２０の窓部２２とを結ぶ直線（光線）である。図２において、太線５２の領域が真の立体映像（本来の立体映像）が知覚される領域である。観察位置Ａ００，Ａ０Ｒ、Ａ０Ｌは、太線５２の領域内である。以下、真の立体映像のみが知覚される観察位置を「視域」と称する。
【００２５】
図３は２Ｄ映像表示用信号を３Ｄ映像表示用信号に変換する３Ｄ処理モジュール８０の例を示している。この３Ｄ処理モジュール８０には、例えば、左眼用の２Ｄ映像表示用信号を左の領域に配置し、右眼用の２Ｄ映像表示用信号を右の領域に配置した２眼式の３Ｄ映像表示用信号が入力する。
【００２６】
３Ｄ処理モジュール８０は、２眼式の３Ｄ映像表示用信号のうちの一方の２Ｄ映像表示用信号を裸眼式の３Ｄ映像表示用信号に変換する。即ち、３Ｄ処理モジュール８０は、２Ｄデジタル入力映像信号とOSD等のグラフィクス信号を同時に含む３Ｄ用信号フォーマットとして成型するフォーマット設定部８１を有する。
【００２７】
フォーマット設定部８１で３Ｄフォーマット化された２Ｄデジタル入力映像信号は、３Ｄ用情報処理部８２において、メインビデオデータを抽出し、２D/3D変換器８３に送出する。２Ｄ／３Ｄ変換器８３により、メインビデオデータの各画素に対する深さ情報（奥行き情報と称してもよい、この情報は、視差情報も含むものとする）が生成される。３D情報処理部８２では、フォーマット設定部８１で生成された３Dフォーマットデータの情報と、２Ｄ／３Ｄ変換部８３により生成されたメインビデオデータの深さ情報を用いて、３Ｄ構成用の複数(たとえば９個)の映像プレーンを生成する。グラフィックスデータの各画素に対する深さ情報は、予めフォーマット設定部８１で設定されていてもよい。
【００２８】
３Ｄ構成用の複数の映像プレーン及び深さ情報は、３Ｄ映像生成部８４に入力され、３Ｄ映像表示用信号（立体映像表示用信号）に変換される。この３Ｄ映像表示用信号は、図２で示した立体映像表示用画素を駆動する絵柄信号となる。
【００２９】
３Ｄ用信号フォーマットは、メインビデオデータを配置する領域９０ａ、グラフィックスデータ（Ｒ，Ｇ，Ｂ画素を含む）を配置する領域９０ｂ、グラフィックスデータの偶数ラインの画素の深さ情報及びα値を配置する領域９０ｃ１、グラフィックスデータの奇数ラインの画素の深さ情報及びα値を配置する領域９０ｃ２、メインビデオデータの偶数ラインの画素の深さ情報を配置する領域９０ｄ１、メインビデオデータの奇数ラインの画素の深さ情報を配置する領域９０ｄ２を有する。メインビデオデータの画素の深さ情報は、偶数画素と奇数画素に関する深さ情報が含まれている。上記α値は、グラフィックスデータの画素に対する重ね合わせの程度を示す値である。
【００３０】
メインビデオデータの領域９０ａは例えば１２８０画素×７２０ライン、領域９０ｂは６４０画素×７２０ライン、領域９０ｃ１は６４０画素×３６０ライン、領域９０ｃ２は６４０画素×３６０ライン、領域９０ｃ１は３２０画素×３６０ライン、領域９０ｃ２は３２０画素×３６０ラインである。
【００３１】
メインビデオデータ及びグラフィックスデータの領域９０a,９０ｂを除く他の領域９０ｃ１，９０ｃ２，９０ｄ１，９０ｄ２は、制御情報領域と称してもよい。制御情報は、３Ｄ用情報処理部８２と、２Ｄ／３Ｄ変換器８３において生成され、所定の領域へ配置される。
【００３２】
図４は、例えば、３Ｄ用情報処理部８２の出力段に設けられる分離データ処理器１１００の構成例を示している。分離データ処理器１１００は、分配モジュール１１０１、第１の画質調整モジュール１１０２、結合モジュール１１０３、第２の画質調整モジュール１１０４を備える。
【００３３】
本実施形態では、３Ｄ信号用の基本フォーマットが定義されており、メインビデオデータを配置する第１の領域９０ａ、グラフィックスデータを配置する第２の領域９０ｂ、前記グラフィックスデータの画素の深さ情報を配置する第３の領域９０ｃ１，９０ｃｄ２、及び前記メインビデオデータの画素の深さ情報を配置する第４の領域９０ｄ１，９０ｄ２を有する。
【００３４】
分配モジュール１１０１は、基本フォーマットから前記第１の領域と第２の領域を含む第１のプレーンＰ−１と、前記第３の領域と第４の領域を含む第２のプレーンＰ−２とを分離する。そして、分配モジュール１１０１は、第１のプレーンＰ−１を画質調整モジュール１１０２に伝送し、第２のプレーンＰ−２を結合モジュール１１０３に伝送する。
【００３５】
画質調整モジュール１１０２は、第１のプレーンＰ−１のデータに対して、色補正、黒レベル補正などの画質調整を実行する。画質調整が行われた第１のプレーンＰ−１のデータは、結合モジュール１１０３に入力される。結合モジュール１１０３では、第１と第２のプレーンＰ−１、Ｐ−２を結合して基本フォーマットを再構築する。結合モジュール１１０３の出力は、第２の画質調整モジュール１１０４（図３の３Ｄ画像生成部８４であっても良い）に伝送され、３Ｄ用信号としてガンマ補正、ディザ処理などが実施される。
【００３６】
上記の説明では、図３及び図４では、２Ｄ映像表示用信号を３Ｄ映像表示用信号に変換する３Ｄ処理モジュール８０として説明した。しかし、図３に示した３Ｄ映像表示用信号の既に完成したもの（各領域に既にデータが配置されたもの）が外部から入力することもある。本実施例は、このような場合は、必要な領域の信号を分解して、図４で説明した第１のプレーンと第２のプレーンとして処理することも含むものである。また、各領域の信号が独立して入力する場合もある。このような場合は、信号を選択して、先の第１及び第２プレーンＰ−１、Ｐ−２を構築することができる。したがって、本実施形態は、方式の異なる入力３Ｄ信号に対して柔軟に対応できる。例えばサイドバイサイド方式が入力した場合は、何れか片側のフレームを利用することができる。またフレーム毎に左右の眼用の映像がフレーム毎に交互に入力する場合は、片方のフレームのみを採用してもよい。
【００３７】
図５は、実施形態が適用された装置の一例でありテレビジョン放送受信装置２１００の信号処理系を概略的に示している。デジタルテレビジョン放送受信用のアンテナ２２２で受信したデジタルテレビジョン放送信号は、入力端子２２３を介してチューナ２２４に供給される。このチューナ２２４は、入力されたデジタルテレビジョン放送信号から所望のチャンネルの信号を選局し復調している。チューナ２２４から出力された信号は、デコーダ２２５に供給されて、例えばＭＰＥＧ（moving picture experts group）２デコード処理が施された後、セレクタ２２６に供給される。
【００３８】
またチューナ２２４の出力は、直接セレクタ２２６に供給されている。この信号から映像・音声情報などが分離され、この映像・音声情報が制御部２３５を介して記録・再生信号処理器２５５で処理され、ハードディスクドライブ（ＨＤＤ）２５７にて記録されることも可能である。ＨＤＤ２５７は、ユニットとして端子２５６を介して記録・再生信号処理器２５５に接続されており、交換することも可能である。またＨＤＤ２５７は、信号の記録器、読み取り器を含む。
【００３９】
アナログテレビジョン放送受信用のアンテナ２２７で受信したアナログテレビジョン放送信号は、入力端子２２８を介してチューナ２２９に供給される。このチューナ２２９は、入力されたアナログテレビジョン放送信号から所望のチャンネルの信号を選局し復調している。そして、このチューナ２２９から出力された信号は、Ａ／Ｄ（analog／digital）コンバータ２３０によりデジタル化された後、セレクタ２２６に出力される。
【００４０】
また、例えばＶＴＲなどの機器が接続されるアナログ信号用の入力端子２３１に供給されたアナログの映像及び音声信号は、Ａ／Ｄコンバータ２３２に供給されてデジタル化された後、セレクタ２２６に出力される。さらに、例えばＨＤＭＩ（High Definition Multimedia Interface）２６１を介して光ディスクあるいは磁気記録媒体再生装置などの外部機器が接続されるデジタル信号用の入力端子２３３に供給されたデジタルの映像及び音声信号は、そのままセレクタ２２６に供給される。
【００４１】
Ａ／Ｄ変換された信号が、ＨＤＤ２５７にて記録される場合は、セレクタ２２６に付随しているエンコーダ・デコーダ２３６内のエンコーダにより、所定のフォーマット例えばＭＰＥＧ（moving picture experts group）２方式による圧縮処理が施された後、記録・再生信号処理器２５５を介してＨＤＤ２５７に記録される。記録・再生信号処理器２５５は、記録制御器２３５aと相俟って、ＨＤＤ２５７に情報を記録する場合、例えばＨＤＤ２５７の何処のディレクトリに対してどのような情報を記録するかを予めプログラムされている。したがってストリームファイルをストリームディレクトリに格納するときの条件、識別情報を録画リストファイルに格納するときの条件などが設定されている。
【００４２】
セレクタ２２６は、４種類の入力デジタル映像及び音声信号から１つを選択して、信号処理器２３４に供給している。この信号処理器２３４は、入力されたデジタル映像信号からオーディオ情報、ビデオ情報を分離し、所定の信号処理を施している。信号処理としては、オーディオ情報に関しては、オーディオデコード・音質調整・ミックス処理などが任意に行われる。ビデオ情報に関しては、カラー・輝度分離処理、カラー調整処理、画質調整処理などが行われる。
【００４３】
また信号処理器２３４内には、先に説明した３Ｄ処理モジュール８０も含まれる。ビデオ出力部２３９では、３Ｄ・２Ｄの切り替えに応じて３Ｄ信号出力又は２Ｄ信号出力の切り替えが行われる。またビデオ出力部２３９は、制御ブロック２３５からのグラフィック映像、文字・図形・記号・等の映像、ユーザインターフェース映像、番組表の映像などをメイン映像に多重する合成部も含む。ビデオ出力部２３５は、走査線数変換を含んでもよい。
【００４４】
オーディオ情報は、オーディオ出力回路２３７でアナログ化され、音量、チャンネルバランスなどの調整を受けた後、出力端子２３８を介してスピーカ装置２１０２に出力される。
【００４５】
ビデオ情報は、ビデオ出力回路２３９にて、画素の合成処理、走査線数変換など受けたのち、出力端子２４２を介して表示装置２１０３へ出力される。表示装置２１０３としては、例えば、図２で説明した装置が採用される。
【００４６】
このテレビジョン放送受信装置２１００は、各種の受信動作を含む種々の動作を制御ブロック２３５によって統括的に制御されている。この制御ブロック２３５は、ＣＰＵ（central processing unit）等を内蔵したマイクロプロセッサの集合である。制御ブロック２３５は、操作部２４７からの操作情報、または、リモートコントローラ２１０４から送信された操作情報がリモコン信号受信部２４８を取得され、これにより、その操作内容が反映されるように各種ブロックをそれぞれ制御している。
【００４７】
制御部２３５は、メモリ２４９を使用している。このメモリ２４９は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００４８】
またこの装置はインターネットを介して外部サーバーとの通信を行うことも可能である。接続端子２４４からのダウンストリーム信号は、送・受信器２４５で復調され変調・復調器２４６で復調され、制御ブロック２３５に入力される。またアップストリーム信号は、変調・復調器２４６で変調され、送・受信器２４５で送信信号に変換され接続端子２４４に出力される。
【００４９】
制御ブロック２３５は、外部サーバーからダウンロードされた動画像あるいはサービス情報を変換処理し、ビデオ出力回路２３９に供給することができる。また制御ブロック２３５は、リモコン操作に応答して、外部サーバーに向けてサービス要求信号を送信することもできる。
【００５０】
さらに制御ブロック２３５は、コネクタ２５１に装着されたカードタイプメモリ２５２のデータを読み取ることも可能である。このために本装置は、例えば、カードタイプメモリ２５２から写真画像データを取り込み、表示装置２１０４に表示することが可能である。また特殊なカラー調整などを行う際に、カードタイプメモリ２５２からの画像データを標準データ或いは参照データとして用いることも可能である。
【００５１】
上記装置において、ユーザは、デジタルテレビジョン放送信号の所望の番組を視聴すると共に、ＨＤＤ２５７に保存したいと思う場合、リモートコントローラ２１０４を操作することによりチューナ２２４を制御し、番組選択を行う。
【００５２】
チューナ２２４の出力は、デコーダ２２５でデコードされベースバンド映像信号に復号され、このベースバンド映像信号は、セレクタ２２６から信号処理器２３４に入力する。これによりユーザは、所望の番組を表示装置２１０３で見ることができる。
【００５３】
また選択された番組のストリーム（多数のパケットからなる）は、セレクタ２２６を介して制御ブロック２３５に入力する。ユーザが録画操作を行えば、記録制御器３５ａは、前記番組のストリームを選択して記録・再生信号処理器２５５に供給する。記録制御器２３５ａ及び記録・再生信号処理器２５５の動作により、例えば前記番組のストリームに対してファイル番号が付され、ストリームファイルとしてＨＤＤ２５７のファイルディレクトリに格納される。
【００５４】
また、ユーザがＨＤＤ２５７に記録されているストリームファイルを再生して視聴したい場合、例えばリモートコントローラ２１０４を操作して、例えば録画リストファイルの表示を指定する（この録画リストファイルについては後でさらに詳しく説明する）。
【００５５】
録画リストファイルは、ＨＤＤ２５７にどのようなストリームファイルが記録されているのかを示すファイル番号やファイル名（識別情報と称する）のテーブルを有する。ユーザが録画リストファイルの表示を指定すると、録画リストがメニューとして表示されるので、ユーザは、表示されたリストの中の希望の番組名あるいはファイル番号の位置にカーソルを移動させ、決定ボタンを操作する。すると、所望のストリームファイルの再生が開始される。
【００５６】
指定されたストリームファイルは、再生制御器２３５ｂの制御のもとで、ＨＤＤ２５７から読み出され、記録・再生信号処理器２５５で復号され、制御ブロック２３５、セレクタ２２６を経由して信号処理器２３４に入力される。
【００５７】
ここで、制御ブロック２３５は、記録制御器２３５a、再生制御器２３５ｂ、及び３Ｄ関連制御器２３５ｃを含む。
【００５８】
３Ｄ関連制御器２３５ｃは、例えばリモートコントローラ２１０４からの操作信号を受けて、画質調整制御信号を３Ｄ処理モジュール８０内の画質調整モジュール１１０２に与えることができる。これにより画質調整モジュール１１０２内の調整パラメータが変更されカラー調整レベル、黒レベル補正レベルを可変することが可能である。
【００５９】
上記したように、上記した実施形態によると、表示用データと、この表示用データを立体描写するための表示制御データとの処理経路を工夫することで良好な画像品質を提供し、各種の立体映像信号処理に対して適合可能となる。
【００６０】
仮に、基本フォーマットの第１乃至第４の領域にデータが存在したまま第１の画質調整を行うと、制御情報（深さ情報）に狂いが生じるために、３Ｄ画像生成部において、期待していない３Ｄ映像表示用信号を生成し、３Ｄ映像の品位が低下する可能性がある。しかし本実施形態によるとこのような３Ｄ映像の品位低下が防止される。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１０・・・表示ユニット、１１・・・立体映像表示用画素、２０・・・マスク、３０・・・バックライト、２２・・・窓部、４１・・・光線、８０・・・３Ｄ処理モジュール、２３５・・・３Ｄ関連制御器、１１００・・・分離データ処理器、１１０１・・・分配モジュール、１１０２・・・第１の画質調整モジュール、１１０３・・・結合モジュール、１１０４・・・第２の画質調整モジュール。
【図１】
2012134634.tif 000003
【図２】
2012134634.tif 000004
【図３】
2012134634.tif 000005
【図４】
2012134634.tif 000006
【図５】
2012134634.tif 000007
【手続補正書】
【提出日】平成23年9月7日(2011.9.7)
【手続補正１】
【補正対象書類名】明細書
【補正対象項目名】０００８
【補正方法】変更
【補正の内容】
【０００８】
【特許文献１】特開平１０−２１５４６６号公報
【特許文献２】特開２０００−２６１８２８号公報
【特許文献３】特開平５−１５０２１８号公報
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
１枚のプレーンにメインビデオデータを配置する第１の領域、グラフィックスデータを配置する第２の領域、前記グラフィックスデータの画素に対する制御情報を配置する第３の領域、及び前記メインビデオデータの画素に対する制御情報を配置する第４の領域を有した基本フォーマットが定義されており、
前記基本フォーマットにおける前記１枚のプレーンを、前記第１の領域と第２の領域のデータを含む第１のプレーンと、前記第３の領域と第４の領域のデータを含む第２のプレーンとに分配する分配モジュールと、
前記第１のプレーンの前記データに対して画質調整を行う第１の画質調整モジュールと、
前記画質調整された前記第１のプレーンのデータに前記第２のプレーンのデータを合体する結合モジュールを備えた立体映像信号処理装置。
【請求項２】
前記第３の領域の制御情報は、前記グラフィックスデータの画素の深さ情報であり、前記第４の領域の制御情報は、前記メインビデオデータの画素の深さ情報である請求項１記載の立体映像信号処理装置。
【請求項３】
前記第３の領域の制御情報は、前記グラフィックスデータの画素に対する重ね合わせに用いるアルファ値情報である請求項１記載の立体映像信号処理装置。
【請求項４】
前記結合モジュールから出力されたデータが入力され、ガンマ補正、ディザ補正を含む調整を行う第２の画質調整モジュールをさらに有した請求項２記載の立体映像信号処理装置。
【請求項５】
前記第１の画質調整モジュールは、操作に基づいて制御ブロックからの制御信号で調整パラメータを変更される請求項４記載の立体映像信号処理装置。
【請求項６】
３Ｄ信号処理モジュールとその制御信号を出力する３Ｄ関連制御器による立体映像信号処理方法において、
１枚のプレーンにメインビデオデータを配置する第１の領域、グラフィックスデータを配置する第２の領域、前記メインビデオデータの画素の深さ情報を配置する第３の領域、及び前記グラフィックスデータの画素の深さ情報を配置する第４の領域を有した３Ｄ信号用の基本フォーマットを定義しており、
前記３Ｄ信号処理モジュールでは、前記基本フォーマットにおける前記１枚のプレーンを、前記第１の領域と第２の領域のデータを含む第１のプレーンと、前記第３の領域と第４の領域のデータを含む第２のプレーンとに分配し、
分配された前記第１のプレーンの前記データに対して画質調整を行い、
前記画質調整された前記第１のプレーンのデータに前記第２のプレーンのデータを合体する立体映像信号処理方法。
【請求項７】
前記第３の領域の制御情報は、前記グラフィックスデータの画素の深さ情報であり、前記第４の領域の制御情報は、前記メインビデオデータの画素の深さ情報である請求項６記載の立体映像信号処理方法。
【請求項８】
前記合体された後の出力データに対して、ガンマ補正、ディザ補正を含む調整を行うようにした請求項７記載の立体映像信号処理方法。
【請求項９】
前記第１のプレーンの前記データに対し行う前記画質調整は、色補正、黒レベル調整を含む調整であり、操作に基づいて制御ブロックからの制御信号で調整パラメータを変更されるようにした請求項８記載の立体映像信号処理方法。
【手続補正２】
【補正対象書類名】明細書
【補正対象項目名】００１１
【補正方法】変更
【補正の内容】
【００１１】
実施形態によれば、１枚のプレーンにメインビデオデータを配置する第１の領域、グラフィックスデータを配置する第２の領域、前記グラフィックスデータの画素に対する制御情報を配置する第３の領域、及び前記メインビデオデータの画素に対する制御情報を配置する第４の領域を有した基本フォーマットが定義されている。分配モジュールが、前記基本フォーマットにおける前記１枚のプレーンを、前記第１の領域と第２の領域のデータを含む第１のプレーンと、前記第３の領域と第４の領域のデータを含む第２のプレーンとに分配する。第１の画質調整モジュールが前記第１のプレーンの前記データに対して画質調整を行う。結合モジュールが前記画質調整された前記第１のプレーンのデータに前記第２のプレーンのデータを合体する。